(57)【特許請求の範囲】
【請求項１】
基礎と、前記基礎の上に固定されるとともに間隙部を挟んで配置された土台と、前記基礎に埋め込まれて前記間隙部に頭部を突出するアンカーボルトと、前記土台の上に複数の枠付パネルを連結して組み立てた躯体と、を具備し、
前記間隙部に横方向から嵌入可能な形状を備えるとともに前記アンカーボルトに固定されかつ前記土台と略同一な高さを有する支持体部と、前記土台に固定された支持体部から前記枠付パネル外壁面に沿って立設されるとともに前記パネルに固定される固定部と、を備えた補強金具を有することを特徴とする建築物。
【請求項２】
基礎と、前記基礎の上に固定されるとともに間隙部を挟んで配置された土台と、前記基礎に埋め込まれて前記間隙部に頭部を突出するアンカーボルトと、前記土台の上に複数の枠付パネルを連結して組み立てた躯体と、を具備し、
前記間隙部において前記アンカーボルトに固定されかつ前記土台と略同一な高さを有する支持体部と、前記土台に固定された支持体部から前記枠付パネル外壁面に沿って立設されるとともに前記パネルに固定される固定部と、を備えた補強金具を有し、
前記支持体部は室外側に開口を備え、前記開口は、前記アンカーボルトを支点として操作される工具の室外側に延出する手かけ部が前記土台に挟まれた前記間隙部の範囲内で水平方向に回動自由となるように形成されていることを特徴とする建築物。
【請求項３】
基礎と、前記基礎の上に固定されるとともに間隙部を挟んで配置された土台と、前記基礎に埋め込まれて前記間隙部に頭部を突出するアンカーボルトと、前記土台の上に複数の枠付パネルを連結して組み立てた躯体と、を具備し、
前記間隙部に横方向から嵌入可能な形状を備えるとともに前記アンカーボルトに固定されかつ前記土台と略同一な高さを有する支持体部と、前記土台に固定された支持体部から前記枠付パネル外壁面に沿って立設されるとともに前記パネルに固定される固定部と、を備えた補強金具を有し、
前記支持体部は室外側に開口を備え、前記開口は、前記アンカーボルトを支点として操作される工具の室外側に延出する手かけ部が前記土台に挟まれた前記間隙部の範囲内で水平方向に回動自由となるように形成されていることを特徴とする建築物。
【発明の詳細な説明】
【０００１】
【発明の属する技術分野】
本発明は、枠組壁工法又は木質プレハブ工法若しくはこれらに類する工法を用いた建築物に関する。
【０００２】
【従来の技術】
枠組壁工法又は木質プレハブ工法若しくはこれらに類する工法を用いた建築物は、枠組壁が構造の基本となっており、枠組壁は枠組材と面材とが一体化したパネルを構成している。このパネルは柱、桁、梁などをほぞ組でつなぐ従来の軸組工法に比べて、断面欠損がなく外力も一点に集中しないため、このパネルにより構成される６面体構造により、枠組壁工法又は木質プレハブ工法若しくはこれらに類する工法による建築物は高い基本的剛性を備えている。この基本的剛性に加えて、地震による横揺れや台風などによる建築物の浮き上がりを防止すべく、建築物の基礎とパネルとを補強金具（浮き上がりとめ金物、別名ホールダウン金物とも呼ばれる。）で固定することが行われている。
【０００３】
図８（ａ）は、一般的な枠組壁工法又は木質プレハブ工法若しくはこれらに類する工法において、補強金具によりパネルを固定する一例を示す分解斜視図である。この例においては、補強金具の取付けは壁パネルの立ち上げ後に行われる。ここではアンカーボルトと補強金具との接合、及び補強金具と縦枠との接合は壁パネルの内部において行われる。そして、縦枠と基礎とが、土台を挟み、補強金具とアンカーボルトとにより緊結されている。
【０００４】
一方、図８（ｂ）は、コア部に例えば硬質発泡ウレタン材が使用されるときなど、壁パネルが工場等にてすでに組み立てられて建築現場に搬入される場合の、補強金具の取付けを示している。この場合には壁パネルの内部に補強金具を入れてアンカーボルトとの接合を行うことが不可能、あるいは現実的でない。したがって、土台の一部を切り欠いて、その部分に箱型の補強金具Ａを載置してアンカーボルトに固定する。一方補強金具Ａに一辺を嵌入しうる「Ｌ」字型補強金具Ｂを用意して、補強金具Ｂを堅固に補強金具Ａに固定した後、止め金具にて補強金具Ｂを、壁パネル室外側に固定して基礎と壁パネルの緊結を図っていた。したがってこの場合には、箱型の補強金具Ａの室外側又は室内側に開口を設け、この開口部からレンチやスパナ等の締め付け工具を差し入れて、アンカーボルト頭部と補強金具Ａとを固定していた。そしてその後に床パネルや壁パネルを取付けていた。
【０００５】
【発明が解決しようとする課題】
しかし、上記のように構成した補強金具Ａは、パネル組み付け前に土台に取付ける必要があり、すでに床パネルや壁パネルが組み付けられた後では、事実上取付けは不可能になるという問題があった。またアンカーボルト頭部と補強金具Ａとを固定する作業にあたって、室外側又は室内側開口部からレンチやスパナ等の締め付け工具を差し入れて締め付け作業を行う時に、締め付け工具の回転可能角度が小さく、作業能率が悪いという問題もあった。そこで、本発明は、パネル組み付け後でも容易に取付けることが可能で、取付けの際に作業能率のよい補強金具を備えた建築物を提供することを課題とする。
【０００６】
【課題を解決するための手段】
以下、本発明について説明する。なお、本発明の理解を容易にするために添付図面の参照符号を括弧書きにて付記するが、それにより本発明が図示の形態に限定されるものではない。
【０００７】
本発明の第一の態様は、基礎（１１）と、基礎の上に固定されるとともに間隙部（Ｇ）を挟んで配置された土台（１２ａ、１２ｂ）と、基礎に埋め込まれて間隙部に頭部を突出するアンカーボルト（Ａ）と、土台の上に複数の枠付パネル（Ｐ１、Ｐ２）を連結して組み立てた躯体と、を具備し、間隙部に横方向から嵌入可能な形状を備えるとともにアンカーボルトに固定されかつ土台と略同一な高さを有する支持体部（３０）と、土台に固定された支持体部から枠付パネル外壁面に沿って立設されるとともにパネルに固定される固定部（２１）と、を備えた補強金具（２０）を有することを特徴とする建築物（Ｈ）である。なお、本発明において「パネル」とは、主に枠組材及び面材により構成される矩形の材料並びにそれに付随する枠組材をさすものである。
【０００８】
この第一態様の建築物によれば、補強金具は土台の間隙部に横方向から差し入れることができるので、補強金具を土台に取付けるべき時期は、床及び壁パネルの組み付け前でも組み付け後であってもよい。すなわち、工程の自由度を高めることができる。一般に、住宅新築工事において、基礎や土台を構築する工程が終了して、その後別の工程として床や壁の枠付パネルの組み付けが行われることがあるので、補強金具の取付けをいずれの工程においても行うことができるようにしておくことは、作業工程管理上きわめて便利である。
【０００９】
本発明の第二の態様は、基礎と、基礎の上に固定されるとともに間隙部を挟んで配置された土台と、基礎に埋め込まれて間隙部に頭部を突出するアンカーボルトと、土台の上に複数の枠付パネルを連結して組み立てた躯体と、を具備し、間隙部においてアンカーボルトに固定されかつ土台と略同一な高さを有する支持体部と、土台に固定された支持体部から枠付パネル外壁面に沿って立設されるとともにパネルに固定される固定部と、を備えた補強金具を有し、支持体部は室外側に開口（３７）を備え、開口は、アンカーボルトを支点として操作される工具の室外側に延出する手かけ部が土台に挟まれた間隙部の範囲内で水平方向に回動自由となるように形成されていることを特徴とする建築物である。
【００１０】
この第二態様の建築物によれば、支持体部の室外側開口は、アンカーボルトを支点として操作される工具の室外側に延出する手かけ部が土台に挟まれた間隙部の範囲内で水平方向に回動自由となるように形成されているので、この開口から締め付け工具を差し入れて支持体部をアンカーボルトに固定する作業を行う際、締め付け工具の回転可能角度を大きくとることができる。したがって、補強金具取付け作業の能率を向上させることができる。
【００１１】
本発明の第三の態様は、基礎と、基礎の上に固定されるとともに間隙部を挟んで配置された土台と、基礎に埋め込まれて間隙部に頭部を突出するアンカーボルトと、土台の上に複数の枠付パネルを連結して組み立てた躯体とを具備し、間隙部に横方向から嵌入可能な形状を備えるとともにアンカーボルトに固定されかつ土台と略同一な高さを有する支持体部と、土台に固定された支持体部から枠付パネル外壁面に沿って立設されるとともにパネルに固定される固定部と、を備えた補強金具を有し、支持体部は室外側に開口を備え、開口は、アンカーボルトを支点として操作される工具の室外側に延出する手かけ部が土台に挟まれた間隙部の範囲内で水平方向に回動自由となるように形成されていることを特徴とする建築物である。
【００１２】
この第三態様の建築物によれば、補強金具は土台間隙部に横方向から差し入れることができるので、補強金具を土台に取付けるべき時期は、床及び壁パネルの組み付け前でも組み付け後であってもよい。すなわち、工程の自由度を高めることができる。また、支持体部の室外側開口は、アンカーボルトを支点として操作される工具の室外側に延出する手かけ部が土台に挟まれた間隙部の範囲内で水平方向に回動自由となるように形成されているが土台に挟まれた間隙部の範囲内で水平方向に回動自由となるように形成されているので、この開口から締め付け工具を差し入れて支持体部をアンカーボルトに固定する作業を行う際、締め付け工具の回転可能角度を大きくとることができる。
【００１３】
上記諸態様において、補強金具の支持体部と固定部とは、一体に形成してもよいし、箱型の第一金具と、「Ｌ」字型の第二金具とを備えた組み合わせ金具として構成してもよい。一体に形成した場合には、現場にて組み立てる手間を省略することができる。また金具の生産段階で補強金具として一定の強度を保証することが可能である。一方組み合わせ金具として構成した場合には、それぞれをコンパクトに梱包できるので搬送や在庫する際に好都合である。
【００１４】
本発明のこのような作用及び利得は、次に説明する実施の形態から明らかにされる。
【００１５】
【発明の実施の形態】
以下本発明を図面に示す実施形態に基づき説明する。
【００１６】
図１は、枠付パネルの構成を示す斜視図である。枠付パネルＰは、発泡ウレタン材からなる断熱材コア１と、断熱材コア１をサンドイッチ状に挟む木質積層面材（ＯＳＢ：Oriented Strand Board）２、３と、断熱材コア１の四側面にそれぞれ配置された上枠スプライン４、左枠スプライン５、右枠スプライン６、及び下枠スプライン７とを備えている。各部材は、所定の接着剤、あるいは金具等により一体に固定されている。断熱材コア１は、例えば、９２ｍｍの厚さ、木質積層面材２、３は例えば、それぞれ１１ｍｍの厚さに形成されている。これらの構成によって、枠付パネルＰは、高い断熱性と剛性とを備えている。
【００１７】
図２は、枠組壁工法又は木質プレハブ工法若しくはこれらに類する工法により、２階建ての建築物を組み立てる順序の概要を示す斜視図である。まず鉄筋コンクリートにより、１階の耐力壁線に沿って基礎１１を施工する。しかる後に基礎１１上に土台（大引）１２を配置して、基礎１１に打ち込まれたアンカーボルト等により固定する（図２（ａ））。次いで、枠付パネルＰ等で構成される１階床１３（Ｐ）（以下の説明及び図２以下において、枠付パネルＰにて構成される部位にはその符号の後に「（Ｐ）」を付して、その部位が枠付パネルＰにて構成されていることを表すこととする。）を施工する。そして、枠付パネルＰにより構成される１階外壁１４（Ｐ）、及び１階内壁１５（Ｐ）を組み立てる。１階外壁における外周壁を構成する枠付パネルＰ同士はスプラインを介して緊結される。またコーナー部を構成する枠付パネルＰ同士は、スプラインを介してボールバーンネイル又はＳＳパネルビス等にて緊結される（図２（ｂ））。
【００１８】
引き続き、２階床組１６を組み立てた後、１階と同様にして２階の外壁１７（Ｐ）を取付ける（図２（ｃ））。そして、小屋梁方式、その他の枠組壁工法又は木質プレハブ工法若しくはこれらに類する工法に従った小屋組みを組み立てた後、枠付パネルＰにより構成される屋根パネル１８（Ｐ）を取付ける（図２（ｄ））。
【００１９】
図３は、図２により説明した、枠組壁工法又は木質プレハブ工法若しくはこれらに類する工法により建てられた２階建て建築物Ｈの断面の一部を示す図である。図２において組み立て順序により説明した建築物Ｈをここでは、完成後の断面を用いて説明する。この枠組壁工法又は木質プレハブ工法若しくはこれらに類する工法により建てられた２階建て建築物Ｈは、基礎１１上に配置された土台（大引）１２を備え、土台１２上には１階床１３（Ｐ）が水平に、１階外壁１４（Ｐ）が垂直に取付けられている。なお、基礎１１には補強金具２０が取付けられ、１階外壁１４（Ｐ）は補強金具２０に固定されている。これらについては後に詳しく説明する。
【００２０】
２階部は水平に組み付けされた床組１６と、２階外壁１７（Ｐ）とが備えられ、さらに屋根部は屋根パネル１８（Ｐ）により構成されている。また１階部分の天井は２階床組１６からの吊天井１９として構成されている。これらのうち、１階外壁１４（Ｐ）、２階外壁１７（Ｐ）、及び屋根パネル１８（Ｐ）は、枠付パネルＰにて形成されている。また、１階床１３（Ｐ）、及び２階床組１６の床パネルも枠付パネルＰにて形成することが可能である。
【００２１】
図４は、補強金具２０を示す斜視図である。図からも明らかなように、補強金具２０は、縦長長方形板材の固定部２１と、固定部２１の一端側に設けられた支持体部３０とを備えている。固定部２１には所定個所に複数の孔２２、２２、…が設けられている。支持体部３０は、着座部３１と、着座部３１に張り合わされるように設けられた底面３２と、底面３２の対向する二辺から立設された二つの側面３３ａ、３３ｂと、二つの側面３３ａ、３３ｂ上に配置された上面３４とを備えている。支持体部３０を構成する六面のうち二面（紙面左手前側及び紙面右奥側）は開口３７、３８として形成されている。以下において、固定部２１が支持体部３０に取付けられている側を開口３７、その反対側を開口３８とする。
【００２２】
着座部３１、及び底面３２には、中央部に円形の開口部３５が設けられている。開口部３５は、固定部２１の取付け位置とは反対の方向（紙面手前側左斜め下方向）に向けて開放されている。一方、側面３３ａ、３３ｂは、開口３７側において、斜め下方に向かう線に沿って切除されている。また、上面３４の中央部にはレンチやスパナ等の締め付け工具を差し入れるために、十分に大きさを持つ円形の開口３６が設けられている。
【００２３】
なお、本実施形態において、補強金具２０の支持体部３０と固定部２１とは一体に構成されているが、例えば図８（ｂ）に示されているように、両者を別体に設けてもよい。この場合には固定部を「Ｌ」字型にして支持体部の上部に固定部の一辺を嵌入しうる嵌入部を設けて、ここに固定部を嵌入させ、両者を摩擦力あるいは弾性力を利用して固定するように構成してもよい。
【００２４】
図５は、基礎１１への補強金具２０の取付けを示す図である。図５（ａ）は、土台１２ａ、１２ｂ上に床パネルや壁パネルを配置する前に、補強金具２０を基礎１１に固定する方法を示している。まず、補強金具２０により枠付パネルを固定すべき部分の土台１２ａ、１２ｂの間には、補強金具２０を差し込める大きさの間隙Ｇを設けておく。そしてこの間隙Ｇの部分には、基礎１１に打ち込んだアンカーボルトＡの頭部を露出させておく。この頭部を支持体部３０の底面３２及び着座部３１に設けられた開口部３５に差し入れるように補強金具２０を上方から間隙Ｇにはめ込み、着座部３１の下面と、基礎１１の上面とを密着させる。また図５（ａ）には示していないが、補強金具２０のはめ込み方向として、上記のように上方から下方へのほか、室外側から室内側方向へ水平にとることもできる。開口部３５は、開口３８の方向に向けて開放されているので（図４参照）、底面３２及び着座部３１とアンカーボルトＡの頭部との位置的干渉が生じないからである。
【００２５】
着座部３１を基礎１１に密着させた後、座金、及び止め具をアンカーボルトＡの頭部に装着し、ナットをアンカーボルトＡ頭部に切られた雄ねじに螺合させ、基礎１１と補強金具２０とを堅固に固定する。このナット締め付け時に、締め付け工具は、支持体部３０の二箇所の側面開口３７（室外側）及び３８（室内側）、並びに支持体部３０上面３４の開口３６の３箇所のうちいずれかより差し入れることができる。しかも室外側開口３７からレンチやスパナ等の締め付け工具により締め付ける場合には、支持体部側面３３ａ、３３ｂの開口３７部分が、室内側斜め下方に向けて形成されているので、これが垂直方向に形成されている場合（図８（ｂ）の補強金具Ａを参照）に比較して、締め付け工具の回転角を大きくとることができる。これにより作業性を向上することができる。
【００２６】
図６は、土台１２ａ、１２ｂに挟まれた間隙Ｇに補強金具２０の支持体部３０をはめ込んで、締め付け工具により固定を行う場合を示す平面図である。もし、支持体部側面３３ａ、３３ｂの開口３７部分が、垂直方向に形成されている場合、締め付け工具は、アンカーボルトＡを支点として水平面内に回動されるとき、支持体部側面３３ａ、３３ｂが障害となり、その最大回動可能角度は図６のβで示される角度である。これに対して、本実施形態の補強金具２０の支持体部側面３３ａ、３３ｂの開口３７部分は、室内側斜め下方に向けて形成されているので、締め付け工具は、アンカーボルトＡを支点として水平面内に回動されるとき、支持体部側面３３ａ、３３ｂが障害とはならない。したがって、その最大回動可能角度は図６のαで示される角度に拡大される。
【００２７】
図５（ａ）の場合には、このようにして補強金具２０を基礎１１に固定した後に、土台１２ａ、１２ｂ上に床及び壁の枠付パネルを取付ける。そしてラグスクリュー等を利用して、補強金具２０の固定部２１に設けられた孔２２、２２、…を介して補強金具２０を壁パネルに固定することができる。もって、壁パネルが補強金具２０を介して基礎１１に固定され、地震や台風による浮き上がりが防止される。
【００２８】
一方図５（ｂ）は、先に図５（ａ）の土台１２ａ、１２ｂ上に床１３（Ｐ）及び壁パネルＰ１、Ｐ２が組み付けられた後に、補強金具２０を基礎１１に取付ける方法を示す図である。図にも示されているように土台１２ａ、１２ｂの間には図５（ａ）の場合と同様に固定金具２０の支持体部３０が差し込める大きさの間隙Ｇが設けられている。この間隙Ｇに室外側から水平に室内側に向けて（図の矢印方向に）支持体部２０を差し入れる。この際に、支持体部３０の底面３２及び着座部３１に設けられた開口部３５は、室内方向に向けて開放されている（図４参照）ので、底面３２及び着座部３１とアンカーボルトＡ頭部との位置的干渉が生じることなく、支持体部３０を円滑に室内側に差し入れることができる。この場合にも、着座部３１を基礎１１に密着させて、座金、止め具、をアンカーボルトＡの頭部に装着し、ナットをアンカーボルトＡの頭部に切られた雄ねじに螺合させ、基礎１１と補強金具２０とを堅固に固定する。この際、ナット締め付けのための締め付け工具は、支持体部３０の室外側開口３７から差し入れることができる。しかも室外側開口３７からレンチやスパナ等の締め付け工具により締め付ける場合には、支持体部側面３３ａ、３３ｂの開口３７部分が室内側斜め下方に向けて形成されているので、これが垂直に形成されている場合に比較して、レンチやスパナ等の締め付け工具の回転角を大きくとることができる。これにより作業性を向上することができる。
【００２９】
この状態においては、固定部２１の一面側は壁パネルＰ２の室外側に密着されている。そしてラグスクリュー等を利用して、補強金具２０の固定部２１に設けられた孔２２、２２、…を介して補強金具２０を壁パネルＰ２に固定することができる。もって、壁パネルが補強金具２０を介して基礎１１に固定され、地震や台風による浮き上がりが防止される。
【００３０】
補強金具２０は上記にて説明した、建築物のコーナー部に使用されるほか、図７に示すように開口部の補強の目的に使用することもできる。
【００３１】
以上に説明したように、補強金具２０を使用すれば、土台上に床パネルや壁パネルなどの枠付パネルを組み付ける前でも、組み付けた後でも補強金具２０を土台に取付けることができる。したがって補強金具２０を使用することにより、住宅工事の工程の自由度を高めることが可能となる。また、支持体部３０が枠付パネルの下部に配置されて、全長にわたってパネル下部を支えることができる。したがってより剛性の高い建築物を提供することができる。なお、支持体部３０の内部に空隙が生じるので、上記取付け後、この部分にウレタンフォーム等を充填することが好ましい。又は簡便的に、室内側の開口面を事前に発泡スチロール板等で覆うようにしてもよい。
【００３２】
補強金具２０は、材料として圧延鋼板を使用し、これを所定の大きさに切断後溶接等により組み立てて作製してもよい。海岸地方に建築する建築物の場合、耐食性の観点から、前記圧延鋼板に亜鉛鍍金等の防錆処理を施すことが好ましい。また、ステンレス鋼や、十分な強度を備えたエンジニアリングプラスチック等、又はこれらによる複合材料を材料として使用してもよい。
【００３３】
上記では、補強金具２０の固定部２１を枠付パネルＰに取付ける際にラグスクリュー等を使用する方法について説明したが、本発明はこれに限定されるものでなく、例えば、固定部２１と枠付パネルＰとを接着剤にて固定してもよい。
【００３４】
また、支持体部３０において、側面３３ａ、３３ｂの開口３７部分が室内側斜め下方に向けて直線状に形成されている例を示したが、本発明はこれに限定されるものではなく、曲線状にあるいはかぎ型に形成されていてもよい。また、室内方向に「Ｕ」字状に形成してもよい。さらにこれらの形状を形成する方法は、原板から所定形状を切除する方法によってもよく、またこれらの形状の雌型をかたどった鋳型を利用して、直接鋳造品として形成することも可能である。
【００３５】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う建築物もまた本発明の技術的範囲に包含されるものとして理解されなければならない。
【００３６】
【発明の効果】
以上要するに、請求項１の発明によれば、補強金具は土台の間隙部に横方向から差し入れることができるので、補強金具を土台に取付けるべき時期は、床及び壁パネルの組み付け前でも組み付け後であってもよい。すなわち、工程の自由度を高めることができるという効果を奏することができる。一般に、住宅新築工事において、基礎や土台を構築する工程が終了して、その後別の工程として床や壁の枠付パネルの組み付けが行われることがあるので、補強金具の取付けをいずれの工程においても行うことができるようにしておくことは、作業工程管理上きわめて便利である。
【００３７】
また請求項２の発明によれば、支持体部の室外側開口は、アンカーボルトを支点として操作される工具の室外側に延出する手かけ部が土台に挟まれた間隙部の範囲内で水平方向に回動自由となるように形成されているので、この開口から締め付け工具を差し入れて支持体部をアンカーボルトに固定する作業を行う際、締め付け工具の回転可能角度を大きくとることができるという効果を奏することができる。したがって、補強金具取付け作業の能率を向上させることができる。
【００３８】
さらに請求項３の発明によれば、補強金具は土台間隙部に横方向から差し入れることができるので、補強金具を土台に取付けるべき時期は、床及び壁パネルの組み付け前でも組み付け後であってもよい。すなわち、工程の自由度を高めることができるという効果を奏することができる。また、支持体部の室外側開口は、アンカーボルトを支点として操作される工具の室外側に延出する手かけ部が土台に挟まれた間隙部の範囲内で水平方向に回動自由となるように形成されているので、この開口から締め付け工具を差し入れて支持体部をアンカーボルトに固定する作業を行う際、締め付け工具の回転可能角度を大きくとることができるという効果を奏することができる。
【図面の簡単な説明】
【図１】枠付パネルの構成を示す斜視図である。
【図２】枠組壁工法又は木質プレハブ工法若しくはこれらに類する工法の概要を示す斜視図である。
【図３】建築物の一部断面を示す図である。
【図４】補強金具を示す斜視図である。
【図５】土台への補強金具の取付けを示す図である。
【図６】締め付け工具の最大回動可能角度を示す図である。
【図７】開口部への補強金具の取付けを示す図である。
【図８】従来の補強金具による固定を示す分解斜視図である。
【符号の説明】
Ａ  アンカーボルト
Ｇ  間隙
Ｈ  建築物
Ｐ  枠付パネル
Ｐ１  壁パネル（枠付パネル）
Ｐ２  壁パネル（枠付パネル）
１１  基礎
１２ａ  土台（大引）
１２ｂ  土台（大引）
２０  補強金具
２１  固定部
３０  支持体部
３７  室外側開口
【図１】
0003790156.tif 000002
【図２】
0003790156.tif 000003
【図３】
0003790156.tif 000004
【図４】
0003790156.tif 000005
【図５】
0003790156.tif 000006
【図６】
0003790156.tif 000007
【図７】
0003790156.tif 000008
【図８】
0003790156.tif 000009